(57)【要約】【課題】追記型であっても記録されたデータを必要に応じて読み取り不可能にすることが可能であり、利用価値をあげる。【解決手段】  追記型光ディスクにおいて、既記録データを破壊する場合、データの記録に用いられる変調方式のラン長制約と同じラン長制約の変調方式で変調されたデータを上書き記録する、又は、さらに最長符号のスペースの出現頻度がデータの記録に用いられる変調方式の出現頻度よりも高いパターンでデータを上書き記録する、または、データの記録に用いられる変調方式のラン長制約中最短の符号の連続パターンによりデータを上書き記録するようにしている。【選択図】図８
2006048763.tif 000002
【特許請求の範囲】
【請求項１】
追記型光ディスクにおいて、データの記録に用いられる変調方式のラン長制約と同じラン長制約の変調方式で変調されたデータを上書き記録することで、既記録データを破壊することを特徴とする情報管理方法。
【請求項２】
追記型光ディスクにおいて、データの記録に用いられる変調方式のラン長制約と同じラン長制約の上記変調方式であり、かつ長符号のスペースの出現頻度がデータの記録に用いられる変調方式の出現頻度よりも高いパターンでデータを上書き記録することで、既記録データを破壊することを特徴とする請求項１記載の情報管理方法。
【請求項３】
追記型光ディスクにおいて、データの記録に用いられる変調方式のラン長制約中最短の符号の連続パターンによりデータを上書き記録することで、既記録データを破壊することを特徴とする情報管理方法。
【請求項４】
データをブロック単位で記録する光ディスクであって、上書き記録によりデータを破壊する場合には、該ブロックよりも小さい単位で、記録未記録を制御し、該ブロックの一部を破壊状態とすることを特徴とする情報管理方法。
【請求項５】
光ディスクから再生した再生信号の振幅パターンを検出し、この振幅パターンが予め定めらえている消去パターンに対応する場合には、この振幅パターンの再生信号部分を破壊部分として特定する情報管理方法。
【請求項６】
光ディスクから再生した再生信号のアシンメトリ変動パターンを検出して、破壊部分を特定する情報管理方法。
【請求項７】
光ディスクから再生した再生信号のエラー訂正処理を行い、エラー出現パターンを検出して、破壊部分を特定する情報管理方法。
【請求項８】
ユーザーデータを含む主情報を鍵情報によりスクランブルし、主情報を読み取り不可能にする場合には、鍵情報のみを信号の上書きによって破壊することを特徴とする情報管理方法。
【請求項９】
追記型光ディスクにおいて、（ａ）データの記録に用いられる変調方式のラン長制約と同じラン長制約の変調方式で変調されたデータ、または、（ｂ）データの記録に用いられる変調方式のラン長制約と同じラン長制約の上記変調方式であり、かつ長符号のスペースの出現頻度がデータの記録に用いられる変調方式の出現頻度よりも高いパターンのデータ、または、（ｃ）データの記録に用いられる変調方式のラン長制約中最短の符号の連続パターンのデータのいずれかが、上書きされて、既記録データを破壊状態にされていることを特徴とする情報記録媒体。
【請求項１０】
追記型光ディスクの既記録データを破壊するために、（ａ）データの記録に用いられる変調方式のラン長制約と同じラン長制約の変調方式で変調されたデータを上書きする手段、または、（ｂ）データの記録に用いられる変調方式のラン長制約と同じラン長制約の上記変調方式であり、かつ最長符号のスペースの出現頻度がデータの記録に用いられる変調方式の出現頻度よりも高いパターンでデータを上書きする手段、または、（ｃ）データの記録に用いられる変調方式のラン長制約中最短の符号の連続パターンによりデータを上書きする手段、のいずれか１つを有することを特徴とする情報記録再生装置。
【発明の詳細な説明】
【技術分野】
【０００１】
本発明は、情報記録媒体、情報記録再生装置及び情報管理方法に関するものであり、追記型光ディスク及びその記録再生装置に適用して有効な発明である。
【背景技術】
【０００２】
追記型の光ディスク及びその記録再生装置として、従来、特開平５−２２４７６１号公報に記載された技術がある。ここでは、記録データを管理する方法として、光ディスク上にデリートフラグを持つことで、擬似的にデータ消去を可能にする技術が開示されている。この技術では、データの読み出しを禁止したいときに、そのデータを含むヘッダ情報領域にデリーフラグを書き込み、データの読み出し時にヘッダ情報中のデリートフラグが検出されたら、デリートフラグを含むファイル中のデータの読み出しを禁止するというものである。
【特許文献１】特開平５−２２４７６１号公報
【発明の開示】
【発明が解決しようとする課題】
【０００３】
しかしながら、上記の従来技術では、光ディスクに記録されたデータは、消去後も実際にはディスク上に残っている。したがって、デリートフラグを無視する装置であれば、記録されているデータを読み取ることが可能となり、機密書類などを書き込む媒体としては、利用し難いという問題がある。
【０００４】
そこでこの発明は、追記型であっても記録されたデータを必要に応じて読み取り不可能にすることが可能であり、利用価値をあげることができる情報記録媒体、情報記録再生装置及び情報記録再生管理方法を提供することを目的とする。
【課題を解決するための手段】
【０００５】
この発明は上記の課題を解決するために、追記型光ディスクにおいて、データの記録に用いられる変調方式のラン長制約と同じラン長制約の変調方式で変調されたデータを上書き記録することで、既記録データを破壊するようにしている。
【発明の効果】
【０００６】
上記の手段により、一度消去したデータは2度と再生できない。従って、機密情報の消去等において安全性が飛躍的に高まる。また、データの破壊後もサーボ信号の取得が可能なため、部分的なデータの消去後も消去したデータの前後のデータは安定して読み出すことが可能となる。一般に追記型ディスクに記録されたデータを上書きした場合には、ディスク上のピットが破壊され、DPD等のトラッキングサーボ信号が取得不可能になるといった問題が発生するが、本発明の方法では上書きする信号のパターンに制約を設けることで、信号の上書き後もトラッキングサーボ信号の取得が可能となる。
【発明を実施するための最良の形態】
【０００７】
以下この発明の実施の形態を図面を参照して説明する。
【０００８】
光ディスクの説明
図１に本発明の実施例の一つである情報の記録もしくは再生が可能な光ディスク１００を示す。光ディスク１００は透明基板上に情報記録層を形成し、レーザー光をこれに集光することで、情報の記録再生を可能にしている。情報の記録層には有機色素材料や多層の無機材料等の記録材料が用いられている。この情報記録層に高いパワーのレーザを集光することで記録ピットもしくはマークを形成し、光ディスク１００に情報を記録する。また、記録可能な光ディスク１００の情報記録再生層は、予め情報の記録されたエンボスエリア１０１と記録エリア１０２を有している。
【０００９】
記録エリア１０２にはグルーブ等の案内溝と物理アドレス情報が予め形成されており、任意の場所にアクセスを行い情報を記録することが可能である。この記録エリア１０２にはユーザーデータ等の記録データ１１３が記録される。また本発明の光ディスク１００では、主データの保護、もしくは消去の簡略化のために、ユーザーデータ等の主データのほかに、鍵情報及び複製管理情報が保存される。また、記録エリアにエンボスピットで予めデータが記録されたものを再生専用の光ディスクという。
【００１０】
光ディスクの情報記録領域のレイアウト
記録エリア１０２には、主データのほかに、主データをスクランブルするための鍵情報と、主データの複製管理をするための複製管理情報が保存されている。この際、鍵情報はエンボス鍵情報を利用して生成される。鍵情報暗号化された主データを読み取る際には、エンボズ鍵情報と鍵情報との２つを用いて主データの暗号を解くが、鍵情報を生成したときのエンボス鍵情報と再生時のエンボス鍵情報が一致しない場合には、主データの暗号を解くことはできない。
【００１１】
したがって、主データと鍵情報を他のディスクに完全にコピーしたとしても、エンボス鍵情報が異なっていれば、主データの暗号を解くことはできない。
【００１２】
図２を用いて主データの移動の方法に関して説明を行う。まずはじめに、図２（ａ）に示すように、ディスク（以下Disk）Aに主データ1及び主データ2が保存されているものとする。DiskAにはエンボス鍵情報A1を利用して生成された鍵情報A1及びA2が保存されており、主データ1及び2、複製管理情報A1及びA2はこれらの鍵情報A1及びA2によってそれぞれスクランブルされている。
【００１３】
次に、図２（ｂ）を用いてブランクディスクであるDiskBに主データ1をコピーする場合について説明を行う。DiskBにはあらかじめエンボス鍵情報B1が保存されている。
【００１４】
主データ1の情報はDiskAの鍵情報を用いて一度解読され、暗号化されていない情報となる。次に、DiskBにこの情報を記録する際には、エンボス鍵情報B1とエンボス鍵情報B1から生成された鍵情報B1によって、この情報は暗号化されて記録される。また、移動の回数や情報の圧縮率・レート変換情報、鍵情報A1等の情報を含んだ複製管理情報B1が暗号化されて記録される。
【００１５】
次にDiskAの鍵情報A1は完全に消去される。この時点で鍵情報A1がDiskA上に存在しなくなるため、DiskA上の主データは再生不可能となる。また、DiskB上の主データ1はエンボス鍵情報B1と鍵情報B1を用いて再生することが可能となり、主データ1の移動が完了する。
【００１６】
次に、図２(ｃ)を用いて，DiskBの主データ1をDiskAに戻す方法を説明する。DiskBからDiskAにデータを戻す場合には、複製管理情報B1の情報を参照し、DiskAが移動元であることを確認する。次に、DiskAに主データ1が残っていることを確認した場合には、複製管理情報B1から鍵情報A1を復元し、DiskAに記録する。そして、鍵情報B1を消去する。また、図示しないが、すでに、DiskAの主データ1が消去、もしくは破壊されている場合には、図２(b)の場合と同様の手順を用いて主データ1をDiskAに再度記録する。
【００１７】
他の例として、図３に異なる主データの鍵情報が同じブロックに保存されている場合の移動方法を示す。ここで、ブロックとは最小の記録、消去単位とする。
【００１８】
同じブロックに複数の主データに対する鍵情報が保存されているディスクに対して、ひとつの主データを移動する場合には、図２(ｂ)と同様の手順でDiskBに主データ1を記録し、鍵情報B1を生成した後、DiskAの鍵情報を消去する前に、鍵情報A2を別のブロックに記録する。この結果、DiskAの主データ2は新たに記録された鍵情報A2を利用して解読が可能となり、DiskBの主データ1は鍵情報B1を用いて解読することが可能となる。
【００１９】
光ディスク装置の説明
図４に本発明の実施例の一つである光ディスク記録再生装置の構成を示す。本発明の光ディスク装置はピックアップヘッド（PUH）４０１から出射されるレーザー光を光ディスクの情報記録層に集光することで、情報の記録再生を行っている。ディスク１００から反射した光は、再び、PUH４０１の光学系を通過し、フォトディテクター（PD）４０２で電気信号として検出される。検出された電気信号は、プリアンプ４０３で増幅され、サーボ回路４０４、信号処理回路４０６、アドレス信号処理回路４０７に出力される。
【００２０】
サーボ回路４０５では、フォーカス、トラッキング等のサーボ信号が生成され、各信号がそれぞれ、PUH４０１のフォーカス、トラッキングアクチュエータに出力される。
【００２１】
信号処理回路４０６、４０７では、再生された信号からユーザーデータや管理情報、アドレス情報といった情報が取り出されれ、コントローラー４１０に出力される。
【００２２】
コントローラー４１０はアドレス情報を元に、所望の位置のユーザーデータ等のデータを読み出したり、所望の位置にユーザーデータや管理情報を記録する。また、コントローラー４１０はアドレス情報を元に、所望の位置アクセスを行い、既記録部分に特定のデータを上書きすることで、既記録部分の情報の消去を行うことができる。
【００２３】
また、記録する信号は記録信号処理回路４０８で光ディスク１００の記録に適した記録波形制御信号に変調される。この信号を元にLD駆動回路（LDD）４０９はレーザダイオード（LD）を発光させ、光ディスク１００に情報を記録する。また、記録信号処理回路４０６，４０７では通常のデータ記録のための波形生成のほかに、上書き消去用の波形を生成することが可能であり、コントローラー４１０の指示によって波形の切り替えを行う。さらにRF信号処理回路４０６では、通常のデータ再生機能だけでなく、後述の消去データ判定処理機能を有しており、コントローラー４１０の指示に従って、消去データ判定処理を行う。
【００２４】
図５に本発明の実施例の一つである光ディスク再生専用装置の構成を示す。なお図４の装置と同様な部分には同一符号を付している。一般に、再生専用ディスク１００Aにはアドレス情報が、ユーザーデータと同時にピットによって形成されている。したがって、アドレスの読み取りはRF処理回路４０６でデータの再生と同時に行われる。このほか記録機能以外の構成は記録再生装置と同様である。ただし、再生専用装置では、一般にエンボスピットに対してのみトラッキング制御を行うことを想定しているため、プッシュプル方式のトラッキング制御機能を有さず、DPD方式のみを有していても良い。
【００２５】
トラッキング制御の説明
次に、記録装置のトラッキング制御方法について説明を行う。通常、記録装置では、光ディスクのグルーブに沿ってビームを走査するために、プッシュプルもしくはディファレンシャルプッシュプルといったトラッキング制御システムが搭載されている。
【００２６】
図６にグルーブへのトラッキングを行うための、トラキングサーボ信号生成装置の概略図を示す。トラッキングサーボ信号生成装置は2分割のPD６０１と減算器６０２から基本的に構成されている。光ディスクからの戻り光は、ビームがグルーブの中心を走査している場合には左右対称の強度分布を示す。しかしながら、ビームがグルーブの中心からずれた場合には、左右の強度分布の一方が低下し、一方が上昇する。このため、2つに分割したPDの差信号を観測した場合、ビームがグルーブの中心にある場合には出力は０となり、ビームの中心から離れた場合には値をもつことになる。したがって、図６に示すグルーブをビームが横切った場合には、図に示すような出力信号を得る。これをトラッキングサーボ信号として用いる。
【００２７】
次に、再生専用装置のトラキング制御について説明を行う。再生専用ディスクにはグルーブはなく、また、ピットの形状が和信号の品質を優先に作られているため、上述の差信号によるトラッキングサーボ信号を取得することが難しい。図７に再生専用装置のトラキングサーボ信号生成装置の概略図を示す。これはDPD方式と呼ばれる方式である。この方式では、4分割PD７０１が使用される。4分割PD７０１の素子A,Bの出力は、加算器７０２で加算され、イコライザ（EQ）７０４で、ノイズ低減され、レベル比較器７０６で2値化され、位相比較器７０８の一方に供給される。4分割PD７０１の素子C,Dの出力は、加算器７０３で加算され、イコライザ（EQ）７０５で、ノイズ低減され、レベル比較器７０７で2値化され、位相比較器７０８の他方に供給される。比較結果は、互いに位相反転した２つの出力として得られ、低域フィルタ７１２，７１３でそれぞれがフィルタリングされ、減算器７１４に入力される。
【００２８】
上記の回路において、ピットからの戻り光を観測した場合、ビームがピットもしくはマークの中心を走査している場合には、4分割PD７０１内のABCDの各PD素子からはほぼ等しい位相の信号が出力される。
【００２９】
これに対し、ビームがピット中心から外れると、A,Dから出力される信号とB,Cから出力される信号の位相が徐々にずれてくる。従って、この位相ずれ量を検出すればトラックの中心からのずれが検出できる。図７に示す装置では、PDからの出力をイコライザ（EQ）によって、短いマークの振幅成分を増幅し、レベルコンパレータで2値化している。さらに、位相比較器７０８によって、A,Dの出力とB,Cの出力の位相差を比較することでトラッキングサーボ信号を生成している。この様に、再生専用装置のトラキングサーボ信号生成回路では、信号の時間的な変動を検出する必要があるため、グルーブのように常に一定レベルの信号が出力されるような構造の光ディスクに対しては、トラッキング制御を行うことができない。
【００３０】
記録波形
図８を参照して、本発明の実施例の一つである記録波形について説明を行う。通常、データの記録の際には図８（ａ）の記録信号に対して、図８（ｂ）のような記録波形が用いられるこの波形では記録マークを形成しないスペースの部分でも比較的高い強度のレーザーを照射する場合がある。これは、媒体の加熱により記録マークの安定した形成を可能にするためである。しかしながら、情報の上書き消去を行う場合には、スペース部分で元の記録信号を保存し、上書き消去後も安定したDPD信号を得るために、図８（ｃ）に示すように、スペース部分では、再生時のレーザーの照射強度と同じかそれ以下の強度でレーザーの照射を行う。Peak power, Bias power1,2,3がそれぞれ強度を示している。
【００３１】
データ構造
次に、図９を参照して、光ディスクに記録されるデータのデータ構造に関して説明を行う。光ディスクはデータセグメント(Data segment)という単位で記録が行われる。このデータセグメントにはユーザーデータのほかに、たとえば位相ロックループ（PLL）引き込みのための可変周波数オシレータ（VFO）や、ユーザーデータの最後の示すポストアンブル（Postamble）やバッファー（Buffer）等が含まれてもよい。ユーザーデータはデータフィールド(Data field)に格納される。データフィールドは複数のセクター(Sectors)に分割され、さらにセクターは複数のフレーム(Frame)に区分される。フレーム０にはユーザーデータのほかに再生専用装置がデータの属性やアドレスが保存されているセクターのIDと、訂正処理のための訂正符号が記録されている。そのほかのフレームにもユーザーデータと訂正符号が記録されている。データフィールドには誤り訂正の一単位である１ECC Block分の情報が保存される。
【００３２】
鍵情報の保存方法
図１０（ａ）に示すように、鍵情報は1つのデータセグメントに対して１つの鍵情報を保存する場合のほかに、図１０（ｂ）に示すように1つのデータセグメントの一部分にそのデータセグメントが鍵情報を含むことを示す識別情報と鍵情報を合わせて保存する場合がある。
【００３３】
また、図１１（ａ）に示すように鍵情報も1つの鍵情報が1つの主データ（タイトル）のための鍵情報に対応する場合のほかに、図１１（ｂ）のように鍵情報が複数の主データ（タイトル）の鍵情報を含んでいる場合がある。
【００３４】
データの消去方法
追記型のディスクは一回のみの記録を前提に記録層が形成されているために、データを上書きした場合、上書き部のデータは破壊され再生することが不可能となる。本発明では下記に示すようなパターンを上書きすることによって情報を破壊し、なおかつDPD信号のようなトラッキングのための信号を維持することを可能としている。
【００３５】
消去方法A)…主データと同様の変調を施したダミーデータを上書きする。上書き時のデータに長いスペースが存在する場合、局所的にはその部分では上書きが行われず、前の信号が残る。通常、変調された信号は一定の確立で必ず長いスペースが出現するので、この部分では情報が上書きされず、DPD信号が正常に発生する。DPD信号を用いたトラッキングサーボは記録情報の再生系に比べて十分に帯域が低いため、間欠的に発生する信号であっても正常な動作が可能となる。
【００３６】
一方、長いスペース以外の部分では記録信号は上書きされるので、情報の読み出しは不可能になる。すなわち情報は完全に消去されたことになる。
【００３７】
消去方法B)…ユーザーデータの記録に用いられる変調領域のうち、半分より長いラン長の符号を含み、そのラン長の合計がパターン全体のラン長の1/3を超えるような特定パターンを上書きする。例えば主データが(1,10)RLL変調で変調されている変調方式の場合、10T-10T-4Tというようなパターンを用いる。Tは基本クロックの周期。このパターンは奇数個の符号から構成されているため、10Tのマーク、10Tのスペース、4Tのマーク、10Tのスペース、10Tのマーク、4Tのスペースという順で記録が行われる。また、このようなパターンで上書きを行った場合、10Tスペース部分では上書き後もDPD信号の取得が可能なため、消去部分の5/12の範囲でDPD信号が取得できることになり、上書き後も確実にトラッキングが行える。
【００３８】
消去方法c)…ユーザーデータの記録に用いられる変調領域のうち、もっとも短いラン長の連続パターンを上書きする。例えば主データが(1,10)RLL変調で変調されている変調方式の場合、2Tの連続信号が記録される。この場合、元の記録信号は完全に破壊されて、上書き後の再生信号は振幅が小さくなる。従って、DPD信号の品質が著しく低下するため、長い区間を上書きすることはできないが、後述する上書きの範囲の限定によって、DPD信号を確保することが可能となる。
【００３９】
上記のように本発明の管理方法では、追記型光ディスクにおいて、データの記録に用いられる変調方式のラン長制約と同じラン長制約の変調方式で変調されたデータを上書き記録することで、既記録データを破壊している。また別の方法では、データの記録に用いられる変調方式のラン長制約と同じラン長制約の上記変調方式であり、かつ最長符号のスペースの出現頻度がデータの記録に用いられる変調方式の出現頻度よりも高いパターンでデータを上書き記録することで、既記録データを破壊する方法である。さらには、データの記録に用いられる変調方式のラン長制約中最短の符号の連続パターンによりデータを上書き記録することで、既記録データを破壊する方法である。
【００４０】
図１２（ａ）には、本来記録されている信号の再生信号を示している。これに対して、図１２（ｂ）―図１２（ｄ）には、それぞれ消去のために上書きしたときの記録パターンの各種の例を示している。
【００４１】
データの消去範囲
次に上書きの範囲について説明を行う。上書きは、例えば、図１３に示すようなゲート信号（ａ）或は（ｂ）、或は(c )或は（ｄ）によって制御される。つまり、データはブロック単位で記録されるが、上書き記録によりデータを破壊する場合には、該ブロックよりも小さい単位で、記録未記録を制御し、該ブロックの一部を破壊状態（全部は破壊しない）とするのである。
【００４２】
範囲A)…鍵情報を含むデータセグメントをすべて上書きする（図１３（ａ））。確実にもとの情報を消去することが可能となる。ただし、消去方法c)に関しては、長い範囲にわたって、DPD信号が出力されなくなるため、範囲A)を用いることは好ましくない。
【００４３】
範囲b)…各セクターのデータ部を上書きする（図１３（ｂ））。IDにはアドレス情報とそのデータの属性情報が含まれているため、ここを残すことで、アドレスの取得や、データの属性を確認することが可能となる。したがって、上書き消去後も安定したアドレスサーチを行うことが可能となる。
【００４４】
範囲c)…セクターをひとつ置きに上書きする（図１３（ｃ））。通常記録未記録の制御はセクター単位で行われるので、セクター単位で制御を行った方が上書きの処理が簡便となる。さらに、ひとつおきにIDが残存しており、アドレス情報の取得が可能となるため、補完処理によって安定してアドレスを再生することが可能となる。また、消去方法C)を用いた場合でも一回のDPD信号低下範囲が短いため、比較的安定してトラッキングを行うことができる。
【００４５】
範囲d)…セクターのデータ部をひとつ置きに上書きする（図１３（ｄ））。範囲b)と同様にセクターのIDの読み取りが可能であるほか、消去方法C)を用いた場合でも一回のDPD信号低下範囲が短いため、比較的安定してトラッキングを行うことができる。
【００４６】
消去したデータの判別
続いて、消去したデータの判別について説明を行う。光ディスクでは、ごくまれに、ディスクの傷や指紋等の影響により、記録データが破壊される場合がある。光ディスクの再生の処理時にはこのような破壊されて読み取れないデータと上書き消去されたデータの区別を行う必要がある。このため、本発明の光ディスク及び光ディスク装置では、予め消去されたデータを判別するルールが定められている。
【００４７】
判別方法A)…特定周波数情報の検出、データの上書き消去が消去方法b)のような特定のパターンで行われている場合、再生信号は特定のパターンで信号のレベル変動、もしくは振幅変動を起こす。ディスクの傷等ではこのようなパターンは発生しないので、このパターンを検出することで、消去されたデータを判別することが可能となる。また、消去方法c)を範囲c)や範囲d)等に適応した場合にも、一定の範囲で信号レベル、もしくは信号振幅の変化が発生するので、この変化を検出することで、消去されたデータを判別することが可能となる。具体的には、振幅変化のタイミング計測や、アシンメトリ変化のタイミング計測、パターンの中の特定周波数の検出等によって判別を行うことが可能である。
【００４８】
判別方法B)…範囲c)や範囲d)のようにセクター単位で消去の切り替えが行われている場合、図１４に示すように、復調されたデータのPI（インナーパリティー）エラーは消去が行われたところで発生し、それ以外のところでは発生しない。ディスクの傷等ではエラーがこのような分布をすることはまれである。したがって、このようなPIエラーの分布から消去されたデータを判別することができる。
【００４９】
上記したように本発明は、振幅パターンを検出して、破壊部分を特定する情報管理方法、アシンメトリ変動パターンを検出して、破壊部分を特定する情報管理方法。エラー出現パターンを検出して、破壊部分を特定する情報管理方法を含むものである。また、ユーザーデータを含む主情報を鍵情報によりスクランブルし、主情報を読み取り不可能にする場合には、鍵情報のみを信号の上書きによって破壊することも本発明の範疇である。
【００５０】
上記の説明では、鍵情報のみを上書き消去することを主眼に説明を行ったが、さらに鍵情報以外の情報であっても本発明の技術用いることで上書き消去、及び消去部分での再生専用装置でのトラッキング制御が可能である。したがって、主データの再利用を行わない場合には、主データそのものを上書き消去することも実施可能である。
【００５１】
また本発明は、追記型光ディスクの既記録データを破壊するために、（ａ）データの記録に用いられる変調方式のラン長制約と同じラン長制約の変調方式で変調されたデータを上書きする手段、または、（ｂ）データの記録に用いられる変調方式のラン長制約と同じラン長制約の上記変調方式であり、かつ最長符号のスペースの出現頻度がデータの記録に用いられる変調方式の出現頻度よりも高いパターンでデータを上書きする手段、、または、（ｃ）データの記録に用いられる変調方式のラン長制約中最短の符号の連続パターンによりデータを上書きする手段、のいずれか１つを有する装置としても特徴を備える。
【図面の簡単な説明】
【００５２】
【図１】本発明の実施例の一つである情報の記録もしくは再生が可能な光ディスクを示す説明図。
【図２】主データの移動方法に関する説明図。
【図３】主データの移動方法に関する説明図。
【図４】本発明に係る光ディスク記録再生装置の構成例を示す図。
【図５】光ディスク再生専用装置の構成例をを示す図。
【図６】トラッキングサーボ信号生成装置の概略図。
【図７】再生専用装置のトラキングサーボ信号生成装置の概略図。
【図８】本発明の機能及び動作を説明するために記録波形の例を示す説明図。
【図９】光ディスクに記録されるデータのデータ構造の例を示す説明図。
【図１０】本発明に係る鍵情報の保存方法について説明するための説明図。
【図１１】本発明に係る鍵情報の保存方法の他の例について説明するための説明図。
【図１２】光ディスクに本来記録されている信号の再生信号に対して、それぞれ消去のために上書きしたときの記録パターンの各種の例を示す説明図。
【図１３】消去信号を出力するためのゲート信号の各種例を示す説明図。
【図１４】本発明により、データ消去が行われた場合、復調データのPIエラーのパターンの例を示す説明図。
【符号の説明】
【００５３】
１００…光ディスク、４０１…ピックアップヘッド、４０２…フォトディテクター（PD）、４０３…プリアンプ、４０５…サーボ回路、４０６…RF信号処理回路、４０７…アドレス信号処理回路、４０８…記録信号処理回路、４０９…LD駆動回路（LDD）、４１０…コントローラ。
【図１】
2006048763.tif 000003
【図２】
2006048763.tif 000004
【図３】
2006048763.tif 000005
【図４】
2006048763.tif 000006
【図５】
2006048763.tif 000007
【図６】
2006048763.tif 000008
【図７】
2006048763.tif 000009
【図８】
2006048763.tif 000010
【図９】
2006048763.tif 000011
【図１０】
2006048763.tif 000012
【図１１】
2006048763.tif 000013
【図１２】
2006048763.tif 000014
【図１３】
2006048763.tif 000015
【図１４】
2006048763.tif 000016